(57)【要約】      （修正有）【課題】眼鏡に照明装置を取り付けた状態で照明装置の重さを直接眼鏡に掛からないように回転力によって、鼻で受けるようにした、照明装置一体支持枠を提供する。【解決手段】照明装置１と、照明装置と一体で眼鏡８に照明装置を回動可能に取付け得る支持枠２と、支持枠と一体で照明装置が回動したとき眼鏡の使用者の鼻に当接可能の鼻接触部９とを有し、また支持枠に形成されたＵ溝を眼鏡の中央フレームに嵌合させることにより、照明装置を眼鏡に回動可能に取り付けるようにした。【選択図】図１
0003193757.tif 000002
【実用新案登録請求の範囲】
【請求項１】
眼鏡に取り付けたとき、穴、溝又は軸を中心として回転できるようにした照明装置一体支持枠
【請求項２】
照明装置一体支持枠を取り付けた眼鏡を顔にかけたとき、照明の重さが穴、溝又は軸を中心に回転し、支持枠の一部分が鼻で受けるようにした照明装置一体支持枠
【考案の詳細な説明】
【技術分野】
【０００１】
本発明は照明装置一体支持枠を眼鏡に取り付けたとき、その重さを直接眼鏡で受けることなく、回転力を利用し、支持枠の一部分が鼻に接触することで鼻で受けるようにしたことを特徴としている
【背景技術】
【０００２】
手元を手軽に照射する方法として、額帯鏡や額帯ベルトに照明装置を取り付ける方法、そして、眼鏡に照明装置を取り付ける方法などが一般的である。額帯鏡や額帯ベルトは額を締め付けることから長時間の使用時の圧迫感、また、髪の毛の乱れなどが気になったりする。特に額帯鏡の使用は慣れが必要であり子供に対しては怖いイメージをもたれる場合がある。
【０００３】
眼鏡に照明装置を取り付ける方法はLEDの出現により電池消耗が少ない、小型軽量化が図れることから近年、多くのメーカーから発売されているが軽量化を図るため、照明部分と電池を別々にして、リード線で結ぶ構造の物が大部分である。そのため、リード線の処置にわずらわしさがあった
【０００４】
眼鏡に照明装置を取り付ける方法は、その他に長時間使用時に汗をかくことで眼鏡がずり落ちてくることが多く、その対策が必要であった
【先行技術文献】
【特許文献】
【０００５】
【特許文献１】特開２０００−５１３０号公報
【非特許文献】
【０００６】
【非特許文献１】有限会社  近藤研究所  メガライトシリーズ(実用新案登録第３１７１５２７号公報）
【考案の概要】
【考案が解決しようとする課題】
【０００７】
眼鏡に照明装置を取り付け、長時間使用していると眼鏡がずり落ちてくることである
【課題を解決するための手段】
【０００８】
眼鏡に照明装置を取り付けた状態で照明装置の重さを直接眼鏡に掛からないように回転力によって、鼻で受けるようにする
【考案の効果】
【０００９】
眼鏡に取り付けた照明装置の重量が回転力に変えられて、鼻で受けるようにした事で重量が分散され眼鏡がずり落ちることを防止している。これによって、照明部分と電池が一体でも使用することができ、リード線によるわずらわしさも解決する
【図面の簡単な説明】
【００１０】
【図１】眼鏡のガラスに取り付けるようにした照明装置一体支持枠の説明図。
【図２】簡易的に眼鏡中央フレームに取り付ける照明装置一体支持枠の別の説明図。
【考案を実施するための形態】
【００１１】
照明装置一体支持枠を眼鏡に取り付け、使用することで、手軽に手元を照明することが回転力を利用することで簡単な構造で実現できた。また、図示していないが長時間使用、照明輝度を上げるために電池が大きくして、リード線でつなぐようになっても構造は容易に考えられる。
【実施例１】
【００１２】
図１は本発明の一実施例を示した説明図。１は電池と一体となった照明装置。２は照明装置と一体。８は眼鏡。９はA支持枠の一部である鼻に接触するA鼻接触部である
【００１３】
照明装置１と一体のA支持枠２を眼鏡８にレンズ保持具４によって取り付け、その眼鏡を顔にかければA支持枠２は照明装置１の重さによって、回転軸３を中心に反時計方向に回転してA支持枠の一部分であるA鼻接触部９のところが鼻に接触してその回転力を保持する構造になっている。
【実施例２】
【００１４】
図２は目的が一緒の別の簡易的な構造を示した説明図。１は電池と一体となった照明装置。５は眼鏡に取り付けるため、そして、回転できるように溝６を持ったB支持枠。１０はB支持枠から出ているB鼻接触部分。７は眼鏡８の両レンズを結ぶフレームで照明装置一体支持枠を取り付けるところである。
【００１５】
図２のものは、図１のものに比べ目的は同じでも、簡易的に取り付け効果を求めた構造である照明装置１と一体となったB支持枠５に設けた溝６を眼鏡８の中央フレーム７に取り付けると照明装置の重さによって、B支持枠の溝６の当たり面を中心に反時計方向に回転し、B支持枠から出ているB鼻接触部１０が鼻に接触して、照明装置一体支持枠の重さを鼻で受ける構造になっている。
【産業上の利用可能性】
【００１６】
普通の眼鏡ずり落ち対策としても、適当なおもりを導き出して同じ構造で、それらの重みを鼻で受けるようにすれば、目的を解決する可能性はありそう。
【符号の説明】
【００１７】
１    照明装置
２    A 支持枠
３    回転軸
４    レンズ保持具
５    Ｂ支持枠
６    溝
７    中間フレーム
８    眼鏡
９    A 鼻接触部
１０  Ｂ鼻接触部
【図１】
0003193757.tif 000003
【図２】
0003193757.tif 000004
【手続補正書】
【提出日】平成26年8月18日(2014.8.18)
【手続補正１】
【補正対象書類名】実用新案登録請求の範囲
【補正対象項目名】全文
【補正方法】変更
【補正の内容】
【実用新案登録請求の範囲】
【請求項１】
照明装置と、該照明装置と一体で眼鏡に前記照明装置を回動可能に取付け得る支持枠と、該支持枠と一体で前記照明装置が回動したとき前記眼鏡の使用者の鼻に当接可能の鼻接触部とを有する、照明装置一体支持枠。
【請求項２】
前記支持枠に形成されたＵ溝を前記眼鏡の中央フレームに嵌合させることにより、前記照明装置を前記眼鏡に回動可能に取り付けるようにした、請求項１に記載の照明装置一体支持枠。
【手続補正２】
【補正対象書類名】明細書
【補正対象項目名】０００１
【補正方法】変更
【補正の内容】
【０００１】
本考案は、眼鏡に取り付けたとき、その重さを直接眼鏡で受けることなく、回転力を利用し、支持枠の一部分が鼻に接触することで鼻で受けるようにしたことを特徴とする照明装置一体指示枠に関する。
【手続補正３】
【補正対象書類名】明細書
【補正対象項目名】０００３
【補正方法】変更
【補正の内容】
【０００３】
眼鏡に照明装置を取り付ける方法は、ＬＥＤの出現により電池消耗が少なく、小型軽量化が図れることから、近年多くのメーカーから発売されているが、軽量化を図るため、照明部分と電池を別々にして、リード線で結ぶ構造の物が大部分である。そのため、リード線の処置にわずらわしさがあった。
【手続補正４】
【補正対象書類名】明細書
【補正対象項目名】０００４
【補正方法】変更
【補正の内容】
【０００４】
眼鏡に照明装置を取り付ける方法は、その他に長時間使用時に汗をかくことで眼鏡がずり落ちてくることが多く、その対策が必要であった。
【手続補正５】
【補正対象書類名】明細書
【補正対象項目名】０００７
【補正方法】変更
【補正の内容】
【０００７】
眼鏡に照明装置を取り付け、長時間使用していると眼鏡がずり落ちてくるというような問題点を解消することにある。
【手続補正６】
【補正対象書類名】明細書
【補正対象項目名】０００８
【補正方法】変更
【補正の内容】
【０００８】
眼鏡に照明装置を取り付けた状態で照明装置の重さを直接眼鏡に掛からないように回転力によって、鼻で受けるようにする。
【手続補正７】
【補正対象書類名】明細書
【補正対象項目名】０００９
【補正方法】変更
【補正の内容】
【０００９】
眼鏡に取り付けた照明装置の重量が回転力に変えられて、鼻で受けるようにした事で重量が分散され、眼鏡がずり落ちることを防止している。これによって、照明部分と電池が一体でも使用することができ、リード線によるわずらわしさも解消する。
【手続補正８】
【補正対象書類名】明細書
【補正対象項目名】００１１
【補正方法】変更
【補正の内容】
【００１１】
照明装置一体支持枠を眼鏡に回転可能に取り付けて、照明装置を回転させて使用することで、手軽に手元を照明することができた。
【手続補正９】
【補正対象書類名】明細書
【補正対象項目名】００１２
【補正方法】変更
【補正の内容】
【００１２】
図１は本考案の一実施例を示した説明図で、１は電池と一体となった照明装置、２は照明装置１と一体の支持枠、３は支持枠２を回動可能に支持する回転軸、４は支持枠２を眼鏡８に取り付けるためのレンズ保持具、９は支持枠２の一部であり眼鏡使用者の鼻に接蝕する鼻接触部である。
【手続補正１０】
【補正対象書類名】明細書
【補正対象項目名】００１３
【補正方法】変更
【補正の内容】
【００１３】
照明装置１と一体の支持枠２を眼鏡８にレンズ保持具４によって取り付け、その眼鏡を顔にかければ支持枠２は照明装置１の重さによって、回転軸３を中心に反時計方向に回転して支持枠２の一部分である鼻接触部９が鼻に接触してその回転を阻止する構造になっている。
【手続補正１１】
【補正対象書類名】明細書
【補正対象項目名】００１４
【補正方法】変更
【補正の内容】
【００１４】
図２は目的が一緒で別の簡易的な構造を示した説明図で、１は電池と一体になった照明装置、５は照明装置１を眼鏡８に回転できるように取り付けるためＵ溝６を持った支持枠、１０は支持枠５から出ている鼻接触部分、７は眼鏡８の両レンズを結ぶ中央フレームで支持枠５を取り付ける部分である。
【手続補正１２】
【補正対象書類名】明細書
【補正対象項目名】００１５
【補正方法】変更
【補正の内容】
【００１５】
図２のものは、図１のものに比べ目的は同じでも、簡易的に取り付け得るという効果を求めた構造であり、照明装置１と一体となった支持枠５のＵ溝６を眼鏡８の中央フレーム７に嵌合させると照明装置の重さによって、支持枠のＵ溝６の当たり面を中心に反時計方向に回転し、支持枠から出ている鼻接触部分１０が鼻に接触して、照明装置一体支持枠の重さを鼻で受ける構造になっている。
【手続補正１３】
【補正対象書類名】明細書
【補正対象項目名】００１７
【補正方法】変更
【補正の内容】
【００１７】
１        照明装置
２，５    支時枠
３        回転軸
４        レンズ保持枠
６        Ｕ溝
７        中央フレーム
８        眼鏡
９，１０  鼻接触部